(57)【要約】      （修正有）【課題】ユーザが指定したヘアスタイルに関する情報から、心理情報に基づいたコンテンツ情報をユーザに提供すると共に、ヘアスタイルに関する事前情報を客観的な情報にすることが可能なサーバ装置を提供する。【解決手段】ユーザによって閲覧されたヘアスタイルの画像データを特定してＳ３０２、画像データに対応するヘアジャンル情報及び特性情報を特定する処理Ｓ３０３と、特性情報に対応する心理情報を特定しＳ３０４、ヘアジャンル情報及び心理情報の両方に対応するコンテンツ情報を取得しＳ３０５、コンテンツ情報データベースからコンテンツ情報を取得して、推薦情報として所定のタイミングでユーザに提供するＳ３０６処理とを含む。【選択図】図２３
2017062562.tif 000002
【特許請求の範囲】
【請求項１】
ユーザによって閲覧されたヘアスタイル情報に関連づけられた推薦情報を、ネットワークを介してユーザに提供するサーバ装置であって、
ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベースを管理するヘアカタログ管理手段と、
複数のコンテンツ情報が登録されたコンテンツ情報データベースを管理するコンテンツ情報管理手段と、
前記特性情報と予め設定された心理情報とを対応付けて登録された第１データベースを管理する第１対応管理手段と、
前記ヘアジャンル情報及び前記心理情報の両方と前記コンテンツ情報とを対応付けて登録された第２データベースを管理する第２対応管理手段と、
特定ユーザにより閲覧された前記画像データを特定する第１特定手段と、
前記特定された画像データに基づいて、前記ヘアカタログデータベースを参照し、特定された画像データに対応づけられた前記ヘアジャンル情報及び前記特性情報を特定する第２特定手段と、
前記特定された特性情報に基づいて前記第１データベースを参照し、当該特性情報に対応する心理情報を特定する第３特定手段と、
前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得手段と、
取得した前記コンテンツ情報を推薦情報として前記特定ユーザに提供するタイミングを取得する情報提供タイミング取得手段と、
前記推薦情報を、取得した所定のタイミングで前記特定ユーザに提供する推薦情報提供手段と、を備えていることを特徴とするサーバ装置。
【請求項２】
請求項１に記載のサーバ装置において、
前記ヘアカタログの閲覧履歴情報をユーザ毎に管理する閲覧履歴管理データベースを管理する履歴管理手段を備え、
当該履歴管理手段が、各画像データの閲覧回数をカウントする画像データ閲覧カウントし、
前記コンテンツ情報取得手段は、最も多く閲覧された前記画像データに対応する前記ヘアジャンル情報と前記心理情報との少なくとも一方に対応付けられたコンテンツ情報を取得する、サーバ装置。
【請求項３】
請求項１に記載のサーバ装置において、
前記ヘアカタログの閲覧履歴情報をユーザ毎に管理する閲覧履歴管理データベースを管理する履歴管理手段を備え、
当該履歴管理手段が、閲覧された前記画像データに対応付けられた前記ヘアジャンル情報の回数をカウントし、かつ、閲覧された前記画像データに対応付けられた前記心理情報の回数をカウントし、
前記コンテンツ情報取得手段は、最も多くカウントされたヘアジャンル情報と心理情報との少なくとも一方に対応付けられたコンテンツ情報を取得する、サーバ装置。
【請求項４】
請求項１に記載のサーバ装置において、
情報入力手段から送信された画像データに基づいて、当該画像データのヘアスタイルに対応付けられた前記ヘアジャンル情報の区分と前記特性情報の区分とを所定の規準に基づいて特定する区分特定手段と、
前記ヘアカタログ管理手段が、前記ヘアジャンル情報の区分と前記特性情報の区分とが特定された前記画像データ及び当該画像データに対応付けられた前記ヘアジャンル情報の区分と前記特性情報の区分とを前記ヘアカタログデータベースに登録する、サーバ装置。
【請求項５】
請求項４に記載のサーバ装置において、
登録されるヘアスタイルサンプルの画像データを表示する表示欄と、前記特性情報の区分を選択させる選択欄と、前記ヘアカタログデータベースに既登録の画像データを当該特性情報の区分毎に区分けして表示する表示欄と、含む情報を前記情報入力手段の表示画面に表示させるための表示情報を前記情報入力手段に提供する表示情報提供手段を備える、サーバ装置。
【請求項６】
請求項５に記載のサーバ装置において、
前記情報入力手段から送信された表示数データに基づいて、前記区分に表示させる前記画像データの数を設定する画像データ数設定手段を備えている、サーバ装置。
【請求項７】
ユーザによってアクセスされたヘアスタイル情報に関連づけられた推薦情報を、ネットワークを介してユーザに提供するコンピュータに用いられるプログラムであって、
前記コンピュータを、
ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベースを管理するヘアカタログ管理手段、
複数のコンテンツ情報が登録されたコンテンツ情報データベースを管理するコンテンツ情報管理手段、
前記特性情報と予め設定された心理情報とを対応付けて登録された第１データベースを管理する第１対応管理手段、
前記ヘアジャンル情報及び前記心理情報の両方と前記コンテンツ情報とを対応付けて登録された第２データベースを管理する第２対応管理手段、
特定ユーザにより閲覧された前記画像データを特定する第１特定手段、
前記特定された画像データに基づいて、前記ヘアカタログデータベースを参照し、特定された画像データに対応づけられた前記ヘアジャンル情報及び前記特性情報を特定する第２特定手段、
前記特定された特性情報に基づいて前記第１データベースを参照し、当該特性情報に対応する心理情報を特定する第３特定手段、
前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得手段、
取得した前記コンテンツ情報を推薦情報として前記特定ユーザに提供するタイミングを取得する情報提供タイミング取得手段、及び
前記推薦情報を、取得した所定のタイミングで前記特定ユーザに提供する推薦情報提供手段、
として機能させることを特徴とするプログラム。
【請求項８】
ユーザによってアクセスされたヘアスタイル情報に関連づけられた推薦情報を、ネットワークを介してユーザに提供する情報提供方法であって、
ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベースを管理するヘアカタログ管理工程と、
複数のコンテンツ情報が登録されたコンテンツ情報データベースを管理するコンテンツ情報管理工程と、
前記特性情報と予め設定された心理情報とを対応付けて登録された第１データベースを管理する第１対応管理工程と、
前記ヘアジャンル情報及び前記心理情報の両方と前記コンテンツ情報とを対応付けて登録された第２データベースを管理する第２対応管理工程と、
特定ユーザにより閲覧された前記画像データを特定する第１特定工程と、
前記特定された画像データに基づいて、前記ヘアカタログデータベースを参照し、特定された画像データに対応づけられた前記ヘアジャンル情報及び前記特性情報を特定する第２特定工程と、
前記特定された特性情報に基づいて前記第１データベースを参照し、当該特性情報に対応する心理情報を特定する第３特定工程と、
前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得工程と、
取得した前記コンテンツ情報を推薦情報として前記特定ユーザに提供するタイミングを取得する情報提供タイミング取得工程と、
前記推薦情報を、取得した所定のタイミングで前記特定ユーザに提供する推薦情報提供工程と、を備えていることを特徴とする情報提供方法。
【発明の詳細な説明】
【技術分野】
【０００１】
本発明は、スマートフォンなどの通信端末装置と連動して各種の情報を提供するサーバ装置、プログラム、及び情報提供方法に関する。
【背景技術】
【０００２】
近年、タブレット型情報端末装置やスマートフォンなどに代表される通信端末装置の進歩、及びＷＷＷ（Ｗｏｒｌｄ  Ｗｉｄｅ  Ｗｅｂ）などのネットワーク技術の発展に伴い、通信端末装置のユーザに対し、様々な情報を提供するネットワークサービスが実施されている。例えば、商品の閲覧履歴や購入履歴からユーザの趣味趣向を分析し、ユーザに適した新しい商品に関する情報や行動エリアを特定した情報等を提供するネットワークサービスが知られている（例えば、特許文献１）。
【０００３】
特許文献１のネットワークシステムは、理美容室の住所等の店舗情報、スタイリスト情報等の必要情報が記憶されているデータベースを有する共に、顧客のコンピュータ等の情報端末機から地域、価格、ヘアスタイル等の複数の検索条件が入力されるとデータベースから検索条件に合致した理美容室を選択し表示する検索手段を備えた理美容室選択システムである。
【０００４】
一方、ヘアスタイルに関する情報を適切に提供するためのシステムが知られている（例えば、特許文献２）。
【０００５】
特許文献２のシステムは、ヘアスタイル画像のイメージ検索に好適な画像検索システムである。このシステムでは、複数の表現語をそれらイメージの関連度に応じて仮想空間上に配置した表現語マップを記憶し、各ヘアスタイル画像を表現語と対応付けて記憶している。画像マップを生成する場合は、表現語マップを参照して各ヘアスタイル画像に対応する表現語の仮想空間における座標を算出し、算出した座標に基づいて各ヘアスタイル画像を仮想空間上に配置した画像マップを生成する。与えられた検索語をもとにヘアスタイル画像のイメージ検索を行う場合は、表現語マップを参照して検索語の仮想空間における座標を算出し、画像マップを参照して、算出した座標に基づき複数のヘアスタイル画像の中から検索語のイメージに適合するイメージのヘアスタイル画像を索出する。
【先行技術文献】
【特許文献】
【０００６】
【特許文献１】特開２００１−３４４４９２号公報
【特許文献２】特開２００１−３４４２７８号公報
【発明の概要】
【発明が解決しようとする課題】
【０００７】
しかしながら、上記特許文献１に開示されたネットワークシステムは、そのユーザが望むヘアスタイルにセットすることが可能な理容室の情報をユーザに対し提供するに留まっている。この特許文献１に開示されたネットワークシステムは、ヘアスタイルに基づいてヘアスタイルとは全く異なる情報を提供するものではない。
【０００８】
一方、上記特許文献２に開示されたシステムでは、表現語を用いてヘアスタイルを表現しているが、ヘアスタイルを正確に表現しようとした場合、表現語の種類が増加してしまい、表現語とヘアスタイルの関連性が複雑になってしまう。
【０００９】
また、一般に、ヘアスタイルを特定することが可能なシステムでは、ヘアスタイルに関する事前情報をデータベースに登録する工程が必要であるが、登録される事前情報は、事前情報を登録する者の主観に頼るところがあり、ヘアスタイルの規準が曖昧になっていた。
【００１０】
本発明は、上記課題を解決するためになされたものであり、その目的は、ヘアスタイルに関する情報から、ヘアスタイルとは全く異なる情報をユーザに提供すると共に、システムの運用に必要なヘアスタイルに関する事前情報を客観的な情報にすることが可能なサーバ装置等を提供することにある。
【課題を解決するための手段】
【００１１】
（１）上述した課題を解決するための本発明に係るサーバ装置は、ユーザによって閲覧されたヘアスタイル情報に関連づけられた推薦情報を、ネットワークを介してユーザに提供するサーバ装置であって、ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベースを管理するヘアカタログ管理手段と、複数のコンテンツ情報が登録されたコンテンツ情報データベースを管理するコンテンツ情報管理手段と、前記特性情報と予め設定された心理情報とを対応付けて登録された第１データベースを管理する第１対応管理手段と、前記ヘアジャンル情報及び前記心理情報の両方と前記コンテンツ情報とを対応付けて登録された第２データベースを管理する第２対応管理手段と、特定ユーザにより閲覧された前記画像データを特定する第１特定手段と、前記特定された画像データに基づいて、前記ヘアカタログデータベースを参照し、特定された画像データに対応づけられた前記ヘアジャンル情報及び前記特性情報を特定する第２特定手段と、前記特定された特性情報に基づいて前記第１データベースを参照し、当該特性情報に対応する心理情報を特定する第３特定手段と、前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得手段と、取得した前記コンテンツ情報を推薦情報として前記特定ユーザに提供するタイミングを取得する情報提供タイミング取得手段と、前記推薦情報を、取得した所定のタイミングで前記特定ユーザに提供する推薦情報提供手段と、を備える構成を有している。
【００１２】
この構成により、ヘアスタイルサンプルが有する所定のヘアスタイル情報と当該ヘアスタイル情報にマッチした飲食店等のコンテンツ情報とを対応付けることができる。
【００１３】
特に、この構成では、ヘアスタイル情報をヘアジャンル情報と特性情報とで構成し、かつ、特性情報については、特性情報と心理情報とを対応づけており、ヘアジャンル情報と心理情報の両方を利用してコンテンツ情報を特定している。
【００１４】
したがって、ユーザが好むヘアスタイルに合致した心理的情報を含めてコンテンツ方法を提供することになるので、当該ユーザに合致したコンテンツ情報を提供することが可能となる。
【００１５】
（２）また、本発明に係るサーバ装置は、前記ヘアカタログの閲覧履歴情報をユーザ毎に管理する閲覧履歴管理データベースを管理する履歴管理手段を備え、当該履歴管理手段が、各画像データの閲覧回数をカウントする画像データ閲覧カウントし、前記コンテンツ情報取得手段は、最も多く閲覧された前記画像データに対応する前記ヘアジャンル情報と前記心理情報との少なくとも一方に対応付けられたコンテンツ情報を取得する、構成を有している。
【００１６】
最も多く閲覧したヘアスタイルの画像は、当該ユーザが最も好むヘアスタイルであると考えられる。そして、この構成は、最も多く閲覧したヘアスタイルの画像に基づいてコンテンツ情報を取得している。
【００１７】
したがって、この構成により、ユーザにとってより好ましいコンテンツ情報を当該ユーザに提供することが可能になる。
【００１８】
（３）また、本発明に係るサーバ装置は、前記ヘアカタログの閲覧履歴情報をユーザ毎に管理する閲覧履歴管理データベースを管理する履歴管理手段を備え、当該履歴管理手段が、閲覧された前記画像データに対応付けられた前記ヘアジャンル情報の回数をカウントし、かつ、閲覧された前記画像データに対応付けられた前記心理情報の回数をカウントし、前記コンテンツ情報取得手段は、最も多くカウントされたヘアジャンル情報と心理情報との少なくとも一方に対応付けられたコンテンツ情報を取得する、構成を有している。
【００１９】
この構成により、画像データに対応づけられたヘアジャンル情報の区分と、特性情報の区分を介して対応づけられた心理情報の区分との両方をカウントすることにより、最も多くカウントされたヘアジャンルの区分と最も多くカウントされた特性の区分とに基づいて、コンテンツ情報を取得し、当該コンテンツ情報をユーザに提供することが可能になる。
【００２０】
したがって、ユーザにとってさらに好ましいコンテンツ情報を当該ユーザに提供することが可能になる。
【００２１】
（４）また、本発明に係るサーバ装置は、前記ヘアスタイル情報は、前記ヘアスタイルのジャンルに関わる複数の区分からなるヘアジャンル情報と、前記ヘアスタイルの定性的な特性に関わるヘアスタイルの複数の区分からなる特性情報とにより構成され、情報入力手段から送信された画像データに基づいて、当該画像データのヘアスタイルに対応付けられた前記ヘアジャンル情報の区分と前記特性情報の区分とを所定の規準に基づいて特定する情報特定手段と、前記ヘアカタログ管理手段が、前記ヘアジャンル情報の区分と前記特性情報の区分とが特定された前記画像データ及び当該画像データに対応付けられた前記ヘアジャンル情報の区分と前記特性情報の区分とを前記ヘアカタログデータベースに登録する、構成を有している。
【００２２】
この構成により、ヘアカタログデータベースにヘアスタイルサンプルに関する情報を登録する際に、ヘアスタイルサンプルに関する情報に客観性を持たせることが可能になる。即ち、ヘアスタイルサンプルに関する情報をヘアジャンルに関する予め設定された区分と、特性に関する予め設定された区分とを特定するので、登録する者の主観が入りにくく、情報に客観性を持たせることができる。
【００２３】
（５）また、本発明に係るサーバ装置は、登録されるヘアスタイルサンプルの画像データを表示する表示欄と、前記特性情報の区分を選択させる選択欄と、前記ヘアカタログデータベースに既登録の画像データを当該特性情報の区分毎に区分けして表示する表示欄と、前記区分特的部により特定された区分を修正するための修正欄と、含む情報を前記情報入力手段の表示画面に表示させるための表示情報を前記情報入力手段に提供する表示情報提供手段を備える、構成を有している。
【００２４】
この構成により、これから登録しようとするヘアスタイルサンプルの画像データと、既登録の画像データとを比較することができ、情報の修正を容易に行うことができる。
【００２５】
（６）また、本発明に係るサーバ装置は、前記情報入力手段から送信された表示数データに基づいて、前記区分に表示させる前記画像データの数を設定する画像データ数設定手段を備えている、サーバ装置。
【００２６】
この構成により、これから登録しようとしているヘアスタイルサンプルの画像データと既登録の画像とを比較する際に、既登録の、より多くの画像と比較することができ、これから登録しようとしているヘアスタイルサンプルに関する情報により客観性を持たせることができる。
【００２７】
（７）上述した課題を解決するための本発明に係るプログラムは、ユーザによってアクセスされたヘアスタイル情報に関連づけられた推薦情報を、ネットワークを介してユーザに提供するコンピュータに用いられるプログラムであって、前記コンピュータを、ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報とが、登録されたヘアカタログデータベースを管理するヘアカタログ管理手段、複数のコンテンツ情報が登録されたコンテンツ情報データベースを管理するコンテンツ情報管理手段、前記特性情報と予め設定された心理情報とを対応付けて登録された第１データベースを管理する第１対応管理手段、前記ヘアジャンル情報及び前記心理情報の両方と前記コンテンツ情報とを対応付けて登録された第２データベースを管理する第２対応管理手段、特定ユーザにより閲覧された前記画像データを特定する第１特定手段、前記特定された画像データに基づいて、前記ヘアカタログデータベースを参照し、特定された画像データに対応づけられた前記ヘアジャンル情報及び前記特性情報を特定する第２特定手段、前記特定された特性情報に基づいて前記第１データベースを参照し、当該特性情報に対応する心理情報を特定する第３特定手段、前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得手段、取得した前記コンテンツ情報を推薦情報として前記特定ユーザに提供するタイミングを取得する情報提供タイミング取得手段、及び前記推薦情報を、取得した所定のタイミングで前記特定ユーザに提供する推薦情報提供手段、として機能させる、構成を有している。
【００２８】
この構成により、ヘアスタイルサンプルが有する所定のヘアスタイル情報と当該ヘアスタイル情報にマッチした飲食店等のコンテンツ情報とを対応付けることができる。
【００２９】
特に、この構成では、ヘアスタイル情報をヘアジャンル情報と特性情報とで構成し、かつ、特性情報については、特性情報と心理情報とを対応づけており、ヘアジャンル情報と心理情報の両方を利用してコンテンツ情報を特定している。
【００３０】
したがって、ユーザが好むヘアスタイルに合致した正確なコンテンツ情報を提供することが可能となる。
【００３１】
（８）上述した課題を解決するための本発明に係る情報提供方法は、ユーザによってアクセスされたヘアスタイル情報に関連づけられた推薦情報を、ネットワークを介してユーザに提供する情報提供方法であって、ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベースを管理するヘアカタログ管理工程と、複数のコンテンツ情報が登録されたコンテンツ情報データベースを管理するコンテンツ情報管理工程と、前記特性情報と予め設定された心理情報とを対応付けて登録された第１データベースを管理する第１対応管理工程と、前記ヘアジャンル情報及び前記心理情報の両方と前記コンテンツ情報とを対応付けて登録された第２データベースを管理する第２対応管理工程と、特定ユーザにより閲覧された前記画像データを特定する第１特定工程と、前記特定された画像データに基づいて、前記ヘアカタログデータベースを参照し、特定された画像データに対応づけられた前記ヘアジャンル情報及び前記特性情報を特定する第２特定工程と、前記特定された特性情報に基づいて前記第１データベースを参照し、当該特性情報に対応する心理情報を特定する第３特定工程と、前記特定されたヘアジャンル情報と前記特定された心理情報とに基づいて、前記第２データベースを参照し、対応するコンテンツ情報を特定し、かつ、特定されたコンテンツ情報を前記コンテンツ情報データベースから取得するコンテンツ情報取得工程と、取得した前記コンテンツ情報を推薦情報として前記特定ユーザに提供するタイミングを取得する情報提供タイミング取得工程と、前記推薦情報を、取得した所定のタイミングで前記特定ユーザに提供する推薦情報提供工程と、を備える。
【００３２】
この構成により、ヘアスタイルサンプルが有する所定のヘアスタイル情報と当該ヘアスタイル情報にマッチした飲食店等のコンテンツ情報とを対応付けることができる。
【００３３】
特に、この構成では、ヘアスタイル情報をヘアジャンル情報と特性情報とで構成し、かつ、特性情報については、特性情報と心理情報とを対応づけており、ヘアジャンル情報と心理情報の両方を利用してコンテンツ情報を特定している。
【００３４】
したがって、ユーザが好むヘアスタイルに合致した正確なコンテンツ情報を提供することが可能となる。
【発明の効果】
【００３５】
本発明のサーバ装置、プログラム、及び情報提供方法は、ユーザが閲覧したヘアスタイルに関するヘアジャンル情報及び心理情報の両方を特定するので、そのユーザに適した行動の指針となる情報を提供することができる。また、データベースに事前に登録するヘアスタイルに関する情報を客観化することが可能なので、データベースに事前情報を登録する者の主観に左右されず、正確な情報をユーザに提供することが可能になる。
【図面の簡単な説明】
【００３６】
【図１】本発明の一実施形態における通信システムの構成を示すシステム構成図である。
【図２】一実施形態における情報提供サーバ装置の構成を示すブロック図である。
【図３】ユーザ管理データベースに記録されるデータの一例をそれぞれ示す図である。
【図４】ジャンル情報データベースに記録されるデータの一例をそれぞれ示す図である。
【図５】特性情報／心理情報データベースに記録されるデータの一例をそれぞれ示す図である。
【図６】コンテンツ情報データベースに記録されるデータの一例をそれぞれ示す図である。
【図７】ヘアカタログデータベースに記録されるデータの一例をそれぞれ示す図である。
【図８】閲覧履歴管理データベースに記録されるデータの一例をそれぞれ示す図である。
【図９】サロン情報データベースに記録されるデータの一例をそれぞれ示す図である。
【図１０】ユーザ／サロン情報データベースに記録されるデータの一例をそれぞれ示す図である。
【図１１】ジャンル／コンテンツ情報データベースに記録されるデータの一例をそれぞれ示す図である。
【図１２】心理／コンテンツ情報データベースに記録されるデータの一例をそれぞれ示す図である。
【図１３】ジャンル／心理／コンテンツ情報データベースに記録されるデータの一例をそれぞれ示す図である。
【図１４】コンテンツ情報を取得するする具体的な第１の方法を説明するための説明図である。
【図１５】コンテンツ情報を取得するする具体的な第２の方法を説明するための説明図である。
【図１６】ヘアスタイルの区分を特定する処理を背詰めしするための説明図である。
【図１７】髪の長さに関する区分を特定する際に用いる規準を示す図である。
【図１８】前髪の特徴点に関する区分を特定する際に用いる規準を示す図である。
【図１９】、情報入力装置の表示画面に表示される情報入力画面の一例を示す図である。
【図２０】情報入力装置の表示画面に表示される修正画面の一例を示す図である。
【図２１】本実施形態の通信システムにおいて実行されるヘアスタイルサンプルに関する情報を登録する処理を示すフローチャートである。
【図２２】本実施形態の通信システムにおいて実行されるユーザの閲覧履歴を管理する処理を示すフローチャートである。
【図２３】本実施形態の通信システムにおいて実行される推薦情報提供処理を示すフローチャートである。
【発明を実施するための形態】
【００３７】
以下、図面を参照しつつ、本発明の実施形態について説明する。なお、以下の実施形態は、通信端末装置と、ネットワークを介して当該通信端末装置に接続されるサーバ装置と、を有する通信システムに対し、本発明に係る、サーバ装置、プログラム及び通信方法を適用した場合の実施形態である。
【００３８】
［１］通信システムの構成及び概要
まず、図１を参照しつつ、本実施形態における通信システム１の構成の概要について説明する。なお、図１は、本実施形態における通信システム１の構成を示すシステム構成図である。また、図が煩雑になることを防止するために、図１では、通信端末装置１０の一部及び情報入力装置４０の一部だけを示している。すなわち、実際の通信システム１では、図面の表示よりも多数の通信端末装置１０及び情報入力装置４０が存在する。
【００３９】
本実施形態の通信システム１は、ユーザが関心あるヘアスタイルの情報に基づいて、当該ヘアスタイルの情報に関連付けられ、そのユーザの行動の指針となり得るコンテンツ情報を情報提供サーバ装置３０からネットワーク２０を介して通信端末装置１０に提供するためのシステムである。具体的に、本実施形態の通信システム１は、
（１）ヘアスタイルサンプルの複数の画像データと、各画像データにおけるヘアスタイルのジャンルに関わる複数の区分からなるヘアジャンル情報と、各画像データにおけるヘアスタイルの定性的な特性に関わるヘアスタイルの複数の区分からなる特性情報と、が登録されたヘアカタログデータベース３４５を管理する処理、
（２）複数のコンテンツ情報が登録されたコンテンツ情報データベース３４４を管理する処理、
（３）特性情報と予め設定された心理情報とを対応付けて登録された第１データベース（特性情報／心理情報データベース３４３）を管理する処理、
（４）ヘアジャンル情報及び心理情報の両方とコンテンツ情報とを対応付けて登録された第２データベース（ジャンル／心理／コンテンツ情報データベース３５４）を管理する処理、
（５）ユーザにより閲覧された画像データを特定する処理、
（６）特定された画像データに基づいて、ヘアカタログデータベース３４５を参照し、特定された画像データに対応づけられたヘアジャンル情報及び前記特性情報を特定する処理、
（７）特定された特性情報に基づいて第１データベースを参照し、当該特性情報に対応する心理情報を特定する処理、
（８）特定されたヘアジャンル情報と特定された心理情報とに基づいて、第２データベース（特性情報／心理情報データベース３４３）を参照し、対応するコンテンツ情報を特定し、かつ、特定されたコンテンツ情報をコンテンツ情報データベース３４４から取得する処理、
（９）取得したコンテンツ情報を推薦情報として特定ユーザに提供するタイミングを取得する処理、
（１０）推薦情報を、取得した所定のタイミングで特定ユーザに提供する処理、
を実行するための構成を備えている。
【００４０】
また、本実施形態の通信システム１では、
（Ａ）情報入力手段として構成される情報入力装置４０から送信された画像データに基づいて、当該画像データのヘアスタイルに対応付けられた特性情報の区分を所定の規準に基づいて特定する処理、
（Ｂ）ヘアジャンル情報の区分と特性情報の区分とが特定された画像データ及び当該画像データに対応付けられたヘアジャンル情報の区分と特性情報の区分とをヘアカタログデータベースに登録する処理、及び
（Ｃ）特性情報の区分と、当該特性情報の区分毎に区分けされた画像データと、を含む情報を情報入力装置の表示画面に表示させるための表示情報を情報入力装置に提供する処理、
を実行している。
【００４１】
そのため、美容師などの情報を入力する者は、表示画面を見ながらデータを修正することができ、入力された情報を正確かつ客観的なものにすることができる。
【００４２】
以下、具体的に、本実施形態の通信システム１の構成を説明する。
【００４３】
本実施形態の通信システム１は、図１に示すように、ユーザによって所持される複数の通信端末装置１０と、ネットワーク２０と、ヘアスタイルサンプルのヘアスタイルに関する情報を入力する情報入力装置４０と、基地局ＢＳを介して接続される通信端末装置１０に推薦情報を提供する情報提供サーバ装置３０と、から構成される。
【００４４】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００４５】
通信端末装置１０は、例えば、携帯型音楽プレーヤー、携帯型ゲーム機、タブレット型情報端末装置、スマートフォン、又は、携帯用電話機、パーソナルコンピュータ（ＰＣ）などの通信端末装置１０である。そして、通信端末装置１０は、基地局ＢＳを介してネットワーク２０に接続される。
【００４６】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用い、情報提供サーバ装置３０とのデータ通信を行うブラウジング機能を有している。通信端末装置１０は、具体的に、ブラウジング機能を用いて、情報提供サーバ装置３０から受信したリソースデータによって構成される各種のコンテンツ（作業コンテンツを含む）を、ユーザが閲覧可能に表示することができるようになっている。
【００４７】
情報提供サーバ装置３０は、情報入力装置４０から送信されたヘスタイル情報に基づいて、当該情報提供サーバ装置３０に設けられたデータベース（以下、「ＤＢ」という。）に、上記のジャンル情報及び特性情報を登録するとともに、各種サービスを通信端末装置１０に提供するために用いられるサーバ装置である。この情報提供サーバ装置３０は、各種のＤＢを有し、各ユーザが所持する通信端末装置１０を介して入力されたユーザ指示に基づいて、通信端末装置１０と連携しつつ、予めＤＢに登録された作業コンテンツに基づいて、作業コンテンツの利用に関する各種の処理を実行する。
【００４８】
情報提供サーバ装置３０は、所定のタイミングで、コンテンツ情報が登録されたＤＢから特定のユーザにとって有益なコンテンツ情報を検索し、検索されたコンテンツ情報から推薦情報を作成する。そして、情報提供サーバ装置は、作成された推薦情報を、ネットワーク２０を介して特定のユーザに提供している。なお、所定のタイミングとしては、例えば、特定のユーザが美容室を利用し終わった時点や、特定のユーザから推薦情報の取得要求を受信したときを挙げることができる。
【００４９】
情報提供サーバ装置３０は、さらに、ヘアスタイル情報を入力する際に利用する入力画面に関する情報を情報入力装置４０に対して提供している。情報提供サーバ装置３０は、予め設定されたジャンル情報の区分、及び特性情報の区分を情報入力装置４０の画面に表示させ、入力されたヘアスタイル情報に客観性を持たすことを可能にしている。
【００５０】
情報入力装置４０は、例えば、撮影装置を備えており、タブレット型情報端末装置、スマートフォン、又は、携帯用電話機、パーソナルコンピュータ（ＰＣ）などの通信端末装置１０である。この情報入力装置４０は、例えば、美容室や理容室などに設けられている。そして、情報入力装置４０についても、通信端末装置１０と同様に、基地局ＢＳを介してネットワーク２０に接続される。
【００５１】
また、情報入力装置４０は、通信端末装置１０と同様に、ＸＭＬ等のマークアップ言語によって記述されているＷＷＷシステム用のリソースデータと、当該リソースデータのネットワークアドレスを示す固有のＵＲＬとを用い、情報提供サーバ装置３０とのデータ通信を行うブラウジング機能を有している。
【００５２】
上記の構成により、本実施形態の通信システム１では、ユーザが指定したヘアスタイルに関する情報から、そのユーザの趣味趣向や深層心理を特定することができるので、そのユーザの趣味趣向や深層心理に適した行動の指針となる情報を提供することができる。
【００５３】
また、本実施形態の通信システム１では、画像データに基づいて、所定の規準によって、情報を分類するので、データベースに事前に登録するヘアスタイルに関する情報を客観化することが可能である。
【００５４】
したがって、データベースに事前情報を登録する者の主観に左右されず、正確なコンテンツ情報をユーザに提供することが可能になる。
【００５５】
［２］サーバ装置
先ず、図２を参照して本実施形態の情報提供サーバ装置３０の構成について説明する。なお、図２は、本実施形態の情報提供サーバ装置３０の構成を示すブロック図である。
【００５６】
本実施形態の情報提供サーバ装置３０は、図２に示すように、装置全体を制御するサーバ管理制御部３１０と、ネットワーク２０に接続される通信制御部３２０と、各種のメモリとして機能するＲＯＭ／ＲＡＭ３３０と、各種のＤＢを有する記録装置３４０と、各種の処理を実行するデータ処理部３６０と、を有している。
【００５７】
サーバ管理制御部３１０は、バスＢによって接続された情報提供サーバ装置３０の各構成部の間におけるデータの転送を制御している。サーバ管理制御部３１０は、主に中央演算処理装置（ＣＰＵ）によって構成され、プログラムを実行することによって、情報提供サーバ装置３０の各部を統合制御する。
【００５８】
通信制御部３２０は、所定のネットワークインターフェースであり、通信端末装置１０及び情報入力装置４０との間で通信チャネルを構築し、各種データの授受を行う。な
【００５９】
ＲＯＭ／ＲＡＭ３３０には、当該情報提供サーバ装置３０の駆動に必要な各種のプログラムが記録されている。このＲＯＭ／ＲＡＭ３３０は、サーバ管理制御部３１０やデータ処理部３６０が各種の処理を実行する際のワークエリアとして用いられる。
【００６０】
記録装置３４０は、ＨＤＤにより構成され、その記録領域内に、ユーザ管理ＤＢ３４１、ジャンル情報ＤＢ３４２、特性情報／心理情報ＤＢ３４３、コンテンツ情報ＤＢ３４４、ヘアカタログＤＢ３４５、閲覧履歴情報ＤＢ３４６及びサロン情報ＤＢ３４７、が設けられている。また、記録装置３４０には、各ＤＢに記録された個々の情報同士を関連付けるためのＤＢ３５１，３５２，３５３，３５４が設けられている。なお、各ＤＢの詳細については、後述する。
【００６１】
データ処理部３６０は、ＤＢ管理部３６１、データ特定部３６２、コンテンツ情報取得部３６３、情報提供タイミング取得部３６４、推薦情報提供部３６５、区分特定部３６６，及び表示情報提供部３６７を備えている。なお、データ処理部３６０の詳細については、後述する。
【００６２】
［２．１］記録装置
次に、図３から図１３を参照して、記録装置に設けられた各ＤＢの具体的な内容について説明する。なお、図３から図１３は、本実施形態の情報提供サーバ装置３０内のユーザ管理ＤＢ３４１、ジャンル情報ＤＢ３４２、特性情報／心理情報ＤＢ３４３、コンテンツ情報ＤＢ３４４、ヘアカタログＤＢ３４５、閲覧履歴管理ＤＢ３４６、サロン情報ＤＢ３４７、ユーザ／サロン情報ＤＢ３５１、ジャンル／コンテンツ情報ＤＢ３５２、心理／コンテンツ情報ＤＢ３５３、及びジャンル／心理／コンテンツ情報ＤＢ３５４に記録されるデータの一例をそれぞれ示す図である。
【００６３】
［２．１．１］ユーザ管理ＤＢ
ユーザ管理ＤＢ３４１は、本実施形態の通信システム１を利用いている各ユーザを管理するための各種情報がデータとして格納されるＤＢである。例えば、ユーザ管理ＤＢ３４１には、図３に示すように、
（１）各ユーザに対応するユーザＩＤ、
（２）当該ユーザのユーザ名、
（３）当該ユーザの年齢、及び
（４）当該ユーザの職業
が対応付けられて登録されている。
【００６４】
図３に例示する場合には、ユーザ管理ＤＢ３４１には、ユーザＩＤ「Ｕ０００１」により特定されるユーザに対して、ユーザ名「ＡＡＡ」と、年齢「２５歳」と、職業「会社員」とが対応付けて登録されている。
【００６５】
［２．１．２］ジャンル情報ＤＢ
ジャンル情報ＤＢ３４２は、予め複数の区分に区分けされたヘアスタイルのジャンル情報がデータとして登録されているＤＢである。このジャンル情報の区分は、ヘアスタイルが与える印象に基づいて区分けされている。例えば、ジャンル情報ＤＢ３４２には、図４に示すように、
（１）ジャンルＩＤ、
（２）ヘアスタイルのジャンル名、及び
（３）ジャンル名の内容
が対応付けられて登録される。
【００６６】
ジャンル情報ＤＢ３４２は、６個の区分から構成されている。具体的に、ジャンル情報の区分は、「ナチュラル」、「モテ・愛され」、「カジュアル・ストリート」、「オフィス・コンバサ」、「ギャル」、及び「ティーンズ・ガーリー」という６区分により構成されている。例えば、図４に例示する場合、最も上段に位置する区分には、ジャンルＤ「Ｊ０１」と、ジャンル名「ナチュラル」と、内容「シンプルで自然な印象」とが相互に関連付けて登録されている。
【００６７】
［２．１．３］特性情報／心理情報ＤＢ
特性情報／心理情報ＤＢ３４３は、本発明の第１対応ＤＢの一部を構成し、予め複数の区分に区分けされたヘアスタイルの特性情報及び各特性情報に対応する心理情報がデータとして登録されているＤＢである。例えば、特性情報／心理情報ＤＢ３４３には、図５（Ａ）及び図５（Ｂ）に示すように、
（１）特性情報を特定するための特性ＩＤ、
（２）ヘアスタイルの特性、
（３）特性情報に対応する心理ＩＤ、
（４）心理、及び
（５）心理の具体的な内容、
が対応付けて登録される。
【００６８】
本実施形態の特性情報／心理情報ＤＢ３４３において、特性情報は、髪の長さに関する情報と、前髪の特徴に関する情報とがある。図５（Ａ）に示す特性情報／心理情報ＤＢ３４３は、髪の長さに関する情報を登録したＤＢであり、図５（Ｂ）は、前髪の特徴に関する情報を登録したＤＢである。
【００６９】
髪の長さに関する情報は、「ベリーショート」、「ショート（ボブ）」、「ミディアム」、「セミロング」、及び「ロング」の５区分により構成され、前髪の特徴に関する情報は、「右分け」、「左分け」、「おでこを隠す前髪」、「眉上で水平に一直線の前髪」、及び「おでこ全開の前髪」の５区分により構成されている。
【００７０】
各特性情報は、ユーザの深層心理を表す心理情報に対応付けられている。心理情報は、上記の各特性情報の区分に対応付けられており、５個の区分により構成されている。心理情報は、「個性的」、「知的」、「女性らしい」、「かわいい」、及び「女王」の５区分から構成されている。
【００７１】
図５（Ａ）に例示する場合、特性情報／心理情報ＤＢ３４３には、特性ＩＤ「ＣＡ０１」と特性「ベリーショート」とが関連付けて登録されている。また、特性情報／心理情報ＤＢ３４３には、心理ＩＤ「Ｍ０１」と、心理「個性的」と、内容「自分に自身があり、ありのまま出せる。／活発で社交的、仕事や趣味に生きるタイプ」とが、特性ＩＤ「ＣＡ０１」及び特性「ベリーショート」に対応付けて登録されている。
【００７２】
図５（Ｂ）に例示する場合、特性情報／心理情報ＤＢ３４３には、例えば、特性ＩＤ「ＣＢ０１」と特性「右分け」とが関連付けて登録されている。また、特性情報／心理情報ＤＢ３４３には、心理ＩＤ「Ｍ０３」と、心理「女性らしい」と、内容「女性らしい雰囲気を演出したい。／「顔の右側は建て前」の表情があらわれると言われ、左側に現れる本音を隠している」とが、特性ＩＤ「ＣＢ０１」及び特性「右分け」に対応付けて登録されている。
【００７３】
［２．１．４］コンテンツ情報ＤＢ
コンテンツ情報ＤＢ３４４は、例えば、レストラン等の飲食店に関するコンテンツ情報、旅行に関するコンテンツ情報、映画に関するコンテンツ情報、書籍に関するコンテンツ情報、及びレジャー施設に関するコンテンツ情報がそれぞれ登録された複数のＤＢにより構成されている。以下、では、レストラン等の飲食店に関するコンテンツ情報が登録されたＤＢを代表例として説明する。
【００７４】
コンテンツ情報ＤＢ３４４は、レストラン毎に、例えば、図６に示すように、
（１）レストランＩＤ、
（２）そのレストランのカテゴリを表すレストランカテゴリＩＤ、
（３）そのレストランの名称（レストラン名）、
（４）レストランが所在する住所、
（５）レストランの電話番号、及び
（６）レストランのＵＲＬ
が対応付けて登録される。
【００７５】
例えば、図６に例示する場合には、コンテンツ情報ＤＢ３４４には、レストランＩＤ「Ｒ０００１」と、レストランカテゴリＩＤ「ＲＣ００４」と、レストラン名「居酒屋Ａ」と、住所「東京都新宿区・・・」と、電話番号「０３−５２・・・」と、ＵＲＬ「ｈｔｔｐ：／／ｗｗｗ．・・・・」とが関連付けて登録されている。なお、レストランカテゴリＩＤは、各レストランの雰囲気や利用する際の用途等に対応付けられたＩＤである。このレストランカテゴリＩＤの詳細は、後述する。
【００７６】
旅行に関するコンテンツ情報が登録されたＤＢについても、旅行内容毎に、その旅行を表す旅行ＩＤ及び旅行のカテゴリを表す旅行カテゴリＩＤと、その旅行に関する種々の情報とが関連付けて登録されている。旅行のカテゴリとしては、例えば、「女子旅」、「格安料金一人旅」、「パワースポット巡り」、「世界遺産巡り」等の項目を挙げることができる。
【００７７】
映画に関するコンテンツ情報が登録されたＤＢには、映画毎に、その映画を表す映画ＩＤ及び映画のカテゴリを表す映画カテゴリＩＤと、その映画に関する種々の情報とが関連付けて登録されている。映画のカテゴリとしては、例えば、「アクション」、「ファンタジー」、「コメディ」、「ロマンス」等の項目を挙げることができる。
【００７８】
書籍に関するコンテンツ情報が登録されたＤＢには、書籍毎に、その書籍を表す書籍ＩＤ及び書籍のカテゴリを表す書籍カテゴリＩＤと、その書籍に関する種々の情報とが関連付けて登録されている。書籍のカテゴリとしては、例えば、「小説・文学」、「推理」、「歴史」、「ノンフィクション」、「経済・ビジネス」等の項目を挙げることができる。
【００７９】
レジャー施設に関するコンテンツ情報が登録されたＤＢには、レジャー施設毎に、そのレジャー施設を表すレジャー施設ＩＤ及びレジャー施設のカテゴリを表すレジャー施設カテゴリＩＤと、そのレジャー施設に関する種々の情報とが関連付けて登録されている。レジャー施設のカテゴリとしては、例えば、「遊園地」、「水族館」、「美術館」等の項目を挙げることができる。
【００８０】
［２．１．５］ヘアカタログＤＢ
ヘアカタログＤＢ３４５は、ヘアスタイルサンプルを撮影した画像データが集積されたＤＢである。ヘアカタログＤＢ３４５は、例えば、図７に示すように、
（１）撮影されたヘアスタイルサンプルの画像を特定するための画像ＩＤ、
（２）撮影されたヘアスタイルサンプルの画像データ、
（３）ヘアスタイルサンプルのヘアスタイルのジャンルＩＤ、
（４）ヘアスタイルサンプルのヘアスタイルの特性ＩＤ、及び
（５）特性に対応付けられた心理ＩＤ、
が関連付けて登録されている。
【００８１】
図７に例示したヘアカタログＤＢ３４５では、例えば、画像ＩＤ「Ｐ００１」に対し、画像データ「画像Ａ」によって表される画像と、ジャンルＩＤ「Ｊ０２」と、特性ＩＤ「ＣＡ０１／ＣＢ０３」とが関連付けて登録されている。
【００８２】
［２．１．６］閲覧履歴管理ＤＢ
閲覧履歴管理ＤＢ３４６は、当該通信システム１の利用者が、ヘアカタログコンテンツを閲覧した履歴を管理するＤＢである。この閲覧履歴管理ＤＢ３４６は、図８に示すように、例えば、
（１）ユーザを特定するためのユーザＩＤ、
（２）ユーザが閲覧したヘアカタログの画像ＩＤ
（３）ユーザが閲覧したヘアカタログのヘアスタイルのジャンルＩＤ、
（４）ユーザが閲覧したヘアカタログのヘアスタイルの特性に対応付けられた心理ＩＤ、
（５）ユーザが閲覧したヘアカタログのＵＲＬ、及び
（６）ユーザがヘアカタログを閲覧した日時、
が関連付けて登録されている。
【００８３】
図８に例示する場合、閲覧履歴管理ＤＢ３４６には、ユーザＩＤ「Ｕ０００１」により特定されるユーザに対して、ヘアカタログの画像ＩＤ「Ｐ００１」ジャンルＩＤ「Ｊ０２」と、心理ＩＤ「Ｍ０１」と、ヘアカタログのＵＲＬ「ｈｔｔｐ：／／ｗｗｗ．・・・・」とが対応付けて登録されている。
【００８４】
［２．１．７］サロン情報ＤＢ
サロン情報ＤＢ３４７は、本実施形態の通信システム１にヘアカタログＤＢ３４５を構成する画像データを提供する美容院等のサロンを管理するための各種情報がデータとして格納されるＤＢである。例えば、サロン情報ＤＢ３４７には、図９に示すように、
（１）各サロンに対応するサロンＩＤ、
（２）当該サロンの名称
（２）当該サロン住所、
（３）当該サロンの電話番号、及び
（４）当該サロンのＵＲＬ、
が対応付けられて登録されている。
【００８５】
図９に例示する場合、サロン情報ＤＢ３４７には、サロンＩＤ「Ｓ０００１」により特定されるサロンに対して、サロン名「ＸＸＸ」と、住所「東京都新宿区・・・」と、電話番号「０３−５２・・・・」と、ＵＲＬ「ｈｔｔｐ：／／ｗｗｗ．・・・・」とが対応付けて登録されている。
【００８６】
［２．１．８］ユーザ／サロン情報ＤＢ
ユーザ／サロン情報ＤＢ３５１は、本実施形態の通信システム１を利用するユーザと通信システム１にヘアカタログＤＢ３４５を構成する画像データを提供するサロンとを対応付けるためのＤＢである。このユーザ／サロン情報ＤＢ３５１には、例えば、図１０に示すように、
（１）ユーザＩＤ、
（２）ユーザがこれから利用するか又は利用したサロンのサロンＩＤ、及び、
（３）ユーザがサロンを利用するか又は利用したときの予約日時
が対応付けられて登録されている。
【００８７】
図１０に例示する場合、ユーザ／サロン情報ＤＢ３５１には、ユーザＩＤ「Ｕ０００１」と、サロンＩＤ「Ｓ０００１」と、２０１５年９月３０日の１８時００分に利用することを予約したことを表す予約日時「２０１５／０９／３０／１８／００」とが対応付けて登録されている。
【００８８】
［２．１．９］ジャンル／コンテンツ情報ＤＢ
ジャンル／コンテンツ情報ＤＢ３５２は、ヘアスタイルのジャンルＩＤとレストランカテゴリＩＤとを対応付けるためのＤＢである。あるヘアジャンルのヘアスタイルをしたユーザの趣味趣向には一定の傾向がある。この趣味趣向とレストランの雰囲気等とを対応付けることによって、そのヘアジャンルのヘアスタイルをしたユーザの趣味趣向に合致したレストランに関する情報を提供することができるようにしたものが、ジャンル／コンテンツ情報ＤＢ３５２である。
【００８９】
ジャンル／コンテンツ情報ＤＢ３５２は、例えば、図１１に示すように、
（１）レストランカテゴリＩＤ、
（２）当該レストランカテゴリＩＤにより特定されたレストランカテゴリの具体的な内容、及び
（３）レストランカテゴリＩＤに対応するヘアジャンルとそのジャンルＩＤ
が対応付けられて登録されている。
【００９０】
図１１に例示するジャンル／コンテンツ情報ＤＢ３５２では、レストランカテゴリの具体的な内容として図示した１５個の項目が挙げられている。このレストランカテゴリは、その飲食店の雰囲気、店内の構造、或いは用途等によって区分けした内容である。
【００９１】
図１１に例示したジャンル／レストランカテゴリ情報ＤＢには、レストランカテゴリＩＤ「ＲＣ００１」と、内容「落ち着ける雰囲気の自慢のお店」と、ヘアジャンル（ジャンルＩＤ）「ナチュラル（Ｊ０１）」、「モテ（Ｊ０２）」及び「オフィス（Ｊ０４）」とが対応付けて登録されている。
【００９２】
［２．１．１０］心理／コンテンツ情報ＤＢ
心理／コンテンツ情報ＤＢ３５３は、心理ＩＤとレストランカテゴリＩＤとを対応付けるためのＤＢである。上述したように、一定の特性を有するヘアスタイルをしたユーザは、その特性に対応した心理を有する傾向にある。例えば、図１２に示したように、「右分け」という特性を有するヘアスタイルのユーザは、「女性らしい雰囲気を演出したい」という心理を有する傾向にある。この心理とレストランの雰囲気等とを対応付けることによって、ある特性のヘアタイルをしたユーザの心理に合致したレストランに関する情報を提供する可能になる。
【００９３】
心理／レストランカテゴリ情報ＤＢは、例えば、図１２に示すように、
（１）レストランカテゴリＩＤ、
（２）当該レストランカテゴリＩＤにより特定されたレストランカテゴリの具体的な内容、及び
（３）レストランカテゴリＩＤに対応する心理とその心理ＩＤ
が対応付けて登録されている。
【００９４】
図１２に例示した心理／コンテンツ情報ＤＢ３５３には、レストランカテゴリＩＤ「ＲＣ００１」と、内容「落ち着ける雰囲気の自慢のお店」と、心理（心理ＩＤ）「女性らしい（Ｍ０３）」、「かわいい（Ｍ０４）」、「知的（Ｍ０２）」、「個性的（Ｍ０１）」及び「女王（Ｍ０５）」とが対応付けて登録されている。
【００９５】
［２．１．１１］ジャンル／心理／コンテンツ情報ＤＢ
ジャンル／心理／コンテンツ情報ＤＢ３５４は、本発明の第２対応ＤＢを構成し、特定されたヘアジャンル及び心理の両方と、レストランカテゴリとを対応付けるためのＤＢである。ジャンル／心理／レストランカテゴリ情報ＤＢは、例えば、図１３に示すように、ヘアジャンル毎に、レストランカテゴリＩＤ及び当該レストランカテゴリＩＤに対応する内容をテーブルの縦方向に列挙し、心理及びその心理の心理ＩＤをテーブルの横方向に列挙して構成されている。そして、各レストランカテゴリＩＤに対応付けることができる心理ＩＤのマス目には、両者が対応付けられていることを表す記号、例えば、「○」が記入されている。
【００９６】
図１３に例示したジャンル／心理／コンテンツ情報ＤＢ３５４では、例えば、ヘアジャンル（ジャンルＩＤ）が「ナチュラル（Ｊ０１）」である場合において、レストランカテゴリＩＤ「ＲＣ００１」及びこのレストランカテゴリＩＤに対応する内容「落ち着ける雰囲気自慢のお店」については、心理（心理ＩＤ）「女性らしい（Ｍ０３）」、「かわいい（Ｍ０４）」、「知的（Ｍ０２）」、「個性的（Ｍ０１）」及び「女王（Ｍ０５）」の５区分の全てが対応しており、対応していることを表す「○」がマス目に記入されている。
【００９７】
本実施形態では、上述したように、特性情報／心理情報ＤＢ３４３、ジャンル／コンテンツ情報ＤＢ３５２、心理／コンテンツ情報ＤＢ３５３及びジャンル／心理／コンテンツ情報ＤＢ３５４の４種類の対応ＤＢを備えている。しかしながら、本実施形態において、特性情報／心理情報ＤＢ３４３とジャンル／心理／コンテンツ情報ＤＢ３５４を備えていれば、ジャンル／コンテンツ情報ＤＢ３５２、心理／コンテンツ情報ＤＢ３５３をＤＢとし備えることは必須ではない。逆に、特性情報／心理情報ＤＢ３４３、ジャンル／コンテンツ情報ＤＢ３５２、及び心理／コンテンツ情報ＤＢ３５３をＤＢとして備えておき、この３種類のＤＢに基づいて、ジャンル／心理／コンテンツ情報ＤＢ３５４を都度作成してもよい。
【００９８】
［２．２］データ処理部
次に、図１４〜図２０を参照して、データ処理部３６０について説明する。なお、図１４は、コンテンツ情報を取得するする第１の方法を説明するための説明図であり、図１５は、コンテンツ情報を取得するする具体的な第２の方法を説明するための説明図である。また、図１６は、ヘアスタイルの区分を特定する処理を背詰めしするための説明図であり、図１７は、髪の長さに関する区分を特定する際に用いる規準を示す図であり、図１８は、前髪の特徴点に関する区分を特定する際に用いる規準を示す図である。また、図１９は、情報入力装置４０の表示画面に表示される情報入力画面の一例を示す図であり、図２０は、情報入力装置の表示画面に表示される修正画面の一例を示す図である。
【００９９】
データ処理部３６０は、中央演算処理装置（ＣＰＵ）によって構成されている。なお、中央演算処理装置は、独立して設けることもできるが、上述したサーバ管理制御部３１０の中央演算処理装置（ＣＰＵ）と共通して設けることもできる。
【０１００】
データ処理部３６０は、サーバ管理制御部３１０による制御の下、ログイン管理を実行し、
（１）各ＤＢの管理、
（２）各ＤＢを参照してデータを特定する処理、
（３）コンテンツ情報を取得する処理、
（４）推薦情報を提供するタイミングを取得する処理、
（５）取得したコンテンツ情報を推薦情報としてユーザに提供する処理、
（６）送信された画像データについてヘアジャンル情報及び特性情報の区分をそれぞれ特定する処理、及び
（７）情報入力装置の表示画面に表示させるための情報を情報入力装置に対して提供する処理、を実行する。
【０１０１】
［２．２．１］ＤＢ管理部
ＤＢ管理部３６１は、記録装置３４０を構成する各ＤＢを管理している。ＤＢ管理部３６１は、具体的に
（Ａ）ヘアカタログＤＢ３４５を管理するヘアカタログ管理部、
（Ｂ）閲覧履歴管理ＤＢ３４６を管理する履歴管理部、
（Ｃ）ヘアスタイル情報に含まれる所定の情報（ヘアジャンル情報）とコンテンツ情報とが対応付けて登録された第１対応ＤＢとしてのジャンル／コンテンツ情報ＤＢ３５２を管理する第１対応管理部、
（Ｄ）ヘアスタイル情報と予め設定された心理情報とが対応付けられて登録された第２対応ＤＢとしての特性情報／心理情報ＤＢ３４３を管理する第２対応管理部の一部、及び
（Ｅ）心理情報とコンテンツ情報とが対応付けられて登録された第３対応ＤＢとしての心理／コンテンツ情報ＤＢ３５３を管理する第２対応管理部の一部、
（Ｆ）ジャンル情報、心理情報及びコンテンツ情報の対応を一括して管理する第３対応管理部を備えている。
【０１０２】
［２．２．１．１］ヘアカタログ管理部
ヘアカタログ管理部は、本発明のヘアカタログ管理手段を構成している。このヘアカタログ管理部は、情報入力装置４０から送信されたヘアスタイルサンプルの画像データ、及び当該画像データに関するジャンル情報及び特性情報を含む情報をヘアカタログＤＢに登録する処理、及びヘアカタログＤＢに登録された情報を読み出す処理を実行する。
【０１０３】
［２．２．１．２］履歴管理部
履歴管理部は、本発明の履歴管理手段を構成している。この履歴管理部は、ユーザがヘアカタログＤＢ３４５を閲覧した履歴をユーザ毎に管理するための閲覧履歴管理ＤＢ３４６を管理している。具体的に、履歴管理部は、閲覧したヘアカタログＤＢに含まれる画像データの画像ＩＤ、当該画像ＩＤに対応するジャンルＩＤ、当該画像ＩＤに対応する心理ＩＤ、当該画像データが登録されているＵＲＬ、及び閲覧した日時の閲覧履歴管理ＤＢ３４６への登録と読み出しを実行している。
【０１０４】
また、履歴管理部は、画像データの閲覧回数をカウントする処理を実行する。即ち、履歴管理部は、本発明の画像データ閲覧カウント手段としも機能している。
【０１０５】
さらに、履歴管理部は、
（１）閲覧された画像データに対応付けられたヘアジャンル情報の回数をカウントする処理、
（２）閲覧された画像データに対応付けられた心理情報の回数をカウントする処理、
を実行する。即ち、履歴管理部は、本発明のヘアジャンル情報カウント手段、及び心理情報カウント手段としても機能する。
【０１０６】
［２．２．１．３］対応管理部
対応管理部は、ＤＢに登録されている情報同士を対応付けるＤＢを管理している。対応管理部の一部は本発明の対応管理手段として構成され、第１対応管理部は第１対応管理手段を構成し、第２対応管理部は第２対応管理手段を構成する。
【０１０７】
第１対応管理部は、第１対応ＤＢとしての特性情報／心理情報ＤＢ３４３を管理している。特性情報／心理情報ＤＢ３４３には、上述したように、特性情報と心理情報とが対応付けて登録されている。コンテンツ情報取得部３６３がコンテンツ情報を取得する際に、特性情報／心理情報ＤＢ３４３は後述する第１特定部により参照される。
【０１０８】
第２対応管理部は、本発明の第２対応管理手段を構成し、第２対応ＤＢとしてのジャンル／心理／コンテンツ情報ＤＢ３５４を管理している。ジャンル／心理／コンテンツ情報ＤＢ３５４には、上述したように、ヘアジャンル毎に、心理情報とコンテンツ情報とが対応付けて登録されており、後述するコンテンツ情報取得部３６３がコンテンツ情報を取得する際に、ジャンル／心理／コンテンツ情報ＤＢ３５４は第３特定部により参照される。
【０１０９】
また、対応管理部は、上記の対応管理部の他に、ジャンル／コンテンツ情報ＤＢ３５２を管理する対応管理部、及び心理／コンテンツ情報ＤＢ３５３を管理している対応管理部を備えている。ジャンル／コンテンツ情報ＤＢ３５２には、ヘアジャンル情報とコンテンツ情報とが対応付けて登録されている。一方、心理／コンテンツ情報ＤＢ３５３には、心理情報とコンテンツ情報とが対応付けて登録されている。
【０１１０】
［２．２．２］データ特定部
データ特定部３６２は、ユーザにより閲覧された前記画像データを特定する第１特定部と、特定された画像データに基づいて、ヘアカタログＤＢ３４５を参照し、特定された画像データに対応付けられたヘアジャンル情報及び特性情報を特定する第２特定部と、特定された特性情報に基づいて特性情報／心理情報ＤＢ３４３（第１データベース）を参照し、当該特性情報に対応する心理情報を特定する第３特定部とを備えている。第１特定部、第２特定部及び第３特定部は、本発明の第１特定手段、第２特定手段及び第３特定手段をそれぞれ構成している。
【０１１１】
［２．２．３］コンテンツ情報取得部
コンテンツ情報取得部３６３は、本発明のコンテンツ情報取得手段を構成している。このコンテンツ情報取得部３６３は、後述する情報提供タイミング取得部３６４がユーザに対し推薦情報を提供するためのタイミングを取得した際に、コンテンツ情報ＤＢ３４４に登録されたコンテンツ情報を検索し、特定ユーザに合致したコンテンツ情報を選択してコンテンツ情報ＤＢ３４４を読み出す。具体的に、コンテンツ情報取得部３６３が取得するコンテンツ情報は、ヘアジャンル情報と心理情報との両方に対応付けられたコンテンツ情報である。
【０１１２】
当該コンテンツ情報取得部３６３がコンテンツ情報を取得する際に用いられるヘアジャンル情報は、データ特定部３６２が備える第１特定部及び第２特定部により特定されたヘアジャンル情報であり、心理情報はデータ特定部３６２が備える第１から第３特定部により特定された心理情報である。なお、特定ユーザに合致したコンテンツ情報の具体的な取得の方法については後述する。
【０１１３】
［２．２．４］情報提供タイミング取得部
情報提供タイミング取得部３６４は、本発明の情報提供タイミング取得手段を構成している。この情報提供タイミング取得部３６４は、例えば、ユーザが所持する通信端末装置１０から送信された信号を通信制御部３２０が受信したときに、コンテンツ情報取得部３６３に対し、コンテンツ情報を取得する処理を実行させている。また、特定ユーザが通信端末装置１０を介して所定のサロンの利用を予約した場合、予約した日時に関する情報が所定のサロンに送信されることに加え、情報提供サーバ装置３０にも送信されるようにしておき、予約した日時に合わせて、情報提供タイミング取得部３６４がコンテンツ情報取得部３６３に対し、コンテンツ情報を取得する処理を実行させているように構成することもできる。その他に、例えば、サロンに設けられた情報入力装置から送信された信号を通信制御部３２０が受信したときに、コンテンツ情報取得部３６３に対し、コンテンツ情報を取得する処理を実行させている。例えば、特定ユーザがサロンを利用し終えた後、特定ユーザがサロンでのサービスを終了したことを知らせる信号をそのサロンの美容師等が情報入力装置を介して情報提供サーバ装置３０に送信する場合である。
【０１１４】
［２．２．５］推薦情報提供部
推薦情報提供部３６５は、本発明の推薦情報提供手段を構成している。この推薦情報提供部３６５は、コンテンツ情報取得部３６３が取得したコンテンツ情報を推薦情報として通信制御部３２０から特定ユーザに提供するための処理を実行している。推薦情報を提供するタイミングは、情報提供タイミング取得部３６４が取得した所定のタイミングである。
【０１１５】
［２．２．６］区分特定部
区分特定部３６６は、本発明の区分特定手段を構成している。この区分特定部３６６は、情報入力装置４０から送られたヘアスタイルサンプルの画像データについて、画像データのヘアスタイル情報の区分を特定する処理を実行している。具体的に、区分特定部３６６は、
（１）髪の長さに関する所定の規準に基づいて、画像データの特性情報の区分を、「ベリーショート」、「ショート（ボブ）」、「ミディアム」、「セミロング」、及び「ロング」からなる５区分のいずれに該当するのかを特定する処理、
（２）前髪の特徴点に関する所定の規準に基づいて、「右分け」、「左分け」、「おでこを隠す前髪」、「眉上で水平に一直線の前髪」、及び「おでこ全開の前髪」の５区分のいずれに該当するのかを特定する処理、
を実行する。
【０１１６】
なお、区分特定部３６６は、ヘアジャンルに関する所定の規準に基づいて、画像データのヘアジャンル情報を、「ナチュラル」、「モテ・愛され」、「カジュアル・ストリート」、「オフィス・コンバサ」、「ギャル」、及び「ティーンズ・ガーリー」の６区分の中のどの区分に属するかを特定するように構成することもできる。
【０１１７】
区分特定部３６６が、所定の規準に基づいて画像データの区分を特定する具体的な処理の内容については、後述する。
【０１１８】
［２．２．７］表示情報提供部
表示情報提供部３６７は、本発明の表示情報提供手段を構成している。この表示情報提供部３６７は、情報入力装置４０に対し、当該情報入力装置の表示画面に、ヘアスタイルサンプルに関する情報を入力する入力画面の情報を提供している。具体的に、表示情報提供部３６７は、
（１）これから登録使用としているヘアスタイルサンプルの画像
（２）ヘアジャンルの区分を選択するため選択欄、
（３）髪の長さに関する特性情報の区分を選択するための選択欄、
（４）前髪の特徴点に関する特性情報の区分を選択するための選択欄、
（５）特性情報の区分毎に区分けされた既登録の画像データ、及び
（６）各区分に表示させる既登録の画像データの数を設定する画像データ数設定部
を表示させる。なお、画像データ数設定部は、本発明の画像データ数設定手段を構成している。
【０１１９】
［３］コンテンツ情報取得部の具体的な処理
コンテンツ情報取得部３６３がコンテンツ情報を取得するする具体的な方法を図１４及び図１５を参照して説明する。
【０１２０】
［３．１］第１の方法
コンテンツ情報取得部３６３は、閲覧履歴管理ＤＢ３４６を管理する履歴管理部と協働し、上述したように、最も多く閲覧された画像データに対応するヘアジャンル情報と特性情報との両方に対応付けられたコンテンツ情報を取得する。この第１の方法について、図１４を参照して説明する。
【０１２１】
特定ユーザが、本実施形態の通信システム１を利用して、ヘアカタログＤＢ３４５に登録されている情報を閲覧した場合、閲覧管理部が備える像データ閲覧カウント手段は、各画像データの閲覧回数をカウントする。図１４の左側の欄に示した例では、画像Ｐが３回、画像Ｑが４回、画像Ｒが２回、それぞれ閲覧されたことが示されている。なお、画像Ｐに対応するヘアジャンル情報の区分は「ナチュラル」であり、画像Ｐに対応する心理情報の区分は「かわいい」である。画像Ｑに対応するヘアジャンル情報の区分は、「カジュアル」であり、画像Ｑに対応する心理情報の区分は「女王」である。また、画像Ｒに対応するヘアジャンル情報の区分は「ナチュラル」であり、画像Ｐに対応する心理情報の区分は「知的」である。
【０１２２】
この図１４の左側の欄に示した例の場合、画像Ｑの閲覧回数が４回であり、画像Ｑが最も多く閲覧されている。そのため、コンテンツ情報取得部３６３は、最も多く閲覧された画像Ｑに対応するヘアジャンル情報と心理情報との両方に対応付けられたコンテンツ情報を取得する。なお、図１４の左側の欄に示した例では、画像Ｑに対応するヘアジャンル情報及び心理情報の両方に対応するコンテンツ情報をコンテンツ情報ＤＢ３４４から選択して取得する。
【０１２３】
コンテンツ情報取得部３６３がコンテンツ情報をコンテンツ情報ＤＢ３４４から選択して取得する際、コンテンツ情報取得部３６３は、特性情報／心理情報ＤＢ３４３、ジャンル／コンテンツ情報ＤＢ３５２、心理／コンテンツ情報ＤＢ３５３及びジャンル／心理／コンテンツ情報ＤＢ３５４のうち必要なＤＢを適宜に参照する。
【０１２４】
閲覧回数が同数となる画像がある場合の処理について、図１４の右側の欄を参照して説明する。図１４の右側の欄に示した例では、画像Ｐ、画像Ｑ及び画像Ｒがそれぞれ１回ずつ閲覧されたことが示されている。そのため、閲覧回数の優劣は、画像Ｐ、画像Ｑ及び画像Ｒの間には存在しない。この場合、閲覧管理部は、閲覧履歴管理ＤＢ３４６に登録された情報の中から、最も新しく閲覧された画像を選択する。
【０１２５】
図１４の右側の欄に示した例では、画像Ｒが最も新しく閲覧されているので、画像Ｒが選択される。コンテンツ情報取得部３６３は、画像Ｒに対応するヘアジャンル情報と心理情報との少なくとも一方に対応付けられたコンテンツ情報を取得する。なお、図１４の右側の欄に示した例では、画像Ｒに対応するヘアジャンル情報及び心理情報の両方に対応するコンテンツ情報をコンテンツ情報ＤＢ３４４から選択して取得する。
【０１２６】
［３．２］第２の方法
コンテンツ情報取得部３６３は、閲覧履歴管理ＤＢ３４６を管理する履歴管理部と協働し、最も多くカウントされたヘアジャンル情報と心理情報との両方に対応付けられたコンテンツ情報を取得する。この第２の方法について、図１５を参照して説明する。
【０１２７】
図１５の左側の欄に示した例では、画像Ｓ、画像Ｔ及び画像Ｕがそれぞれ１回ずつ閲覧された場合を示している。画像Ｓのヘアジャンル情報の区分は「ナチュラル」であり、画像Ｓの心理情報の区分は「かわいい」である。画像Ｔのヘアジャンル情報の区分は「カジュアル」であり、画像Ｓの心理情報の区分は「かわいい」である。また、画像Ｕのヘアジャンル情報の区分は「ナチュラル」であり、画像Ｕの心理情報の区分は「知的」である。
【０１２８】
この場合、ヘアジャンル情報の区分については、「ナチュラル」が２回カウントされ、「カジュアル」が１回カウントされている。そのため、最も多くカウントされた「ナチュラル」が選択される。一方、心理情報の区分については、「かわいい」が２回カウントされ、「知的」が１回カウントされている。そのため、最も多くカウントされた「かわいい」が選択される。
【０１２９】
図１５の左側の欄に示した例では、コンテンツ情報取得部３６３は、ヘアジャンル情報の区分が「ナチュラル」、心理情報の区分が「かわいい」の両方に対応するコンテンツ情報を選択して取得する。
【０１３０】
次に、ヘアジャンル情報の区分がカウントされた回数、心理情報の区分がカウントされた回数が同数である場合について、図１５の右側の欄を参照して説明する。
【０１３１】
図１５の右側の欄に示した例では、画像Ｘ、画像Ｙ及び画像Ｚがそれぞれ１回ずつ閲覧された場合を示している。画像Ｘのヘアジャンル情報の区分は「ナチュラル」であり、画像Ｓの心理情報の区分は「かわいい」である。画像Ｙのヘアジャンル情報の区分は「ナチュラル」であり、画像Ｓの心理情報の区分は「知的」である。また、画像Ｚのヘアジャンル情報の区分は「カジュアル」であり、画像Ｕの心理情報の区分は「女王」である。
【０１３２】
この場合、ヘアジャンル情報の区分については、「ナチュラル」が２回カウントされ、「カジュアル」が１回カウントされている。そのため、最も多くカウントされた「ナチュラル」が選択される。一方、心理情報の区分については、「かわいい」、「知的」、「女王」が１回ずつそれぞれカウントされている。そのため、カウントされた回数の優劣は、存在しない。この場合、閲覧管理部は、閲覧履歴管理ＤＢ３４６に登録された情報の中から、最も新しく閲覧された画像に対応する心理情報の区分を選択する。図１５の右側の欄に示した例では、画像Ｚが最も新しく閲覧されているので、画像Ｚに対応する心理情報の区分「女王」が選択される。
【０１３３】
図１５の右側の欄に示した例では、コンテンツ情報取得部３６３は、ヘアジャンル情報の区分が「ナチュラル」、心理情報の区分が「女王」の両方に対応するコンテンツ情報を選択して取得する。
【０１３４】
［４］区分特定部の具体的な処理
区分特定部３６６が、所定の規準に基づいて画像データの区分を特定する具体的な処理の内容について、図１６から図１８を参照して説明する。
【０１３５】
この区分特定部３６６は、図１６に示すように、ヘアスタイルサンプルの頭部の頂部から胸部の領域を複数の領域に区分けする目盛り、及びヘアスタイルサンプルを左右に区分けする境界線を有するスケールを備えている。区分特定部３６６は、このスケールを利用して、特性情報の区分を特定する。特性情報の区分は、上述したように、髪の長さに関する区分と前髪の特徴点に関する区分とがある。
【０１３６】
髪の長さに関する区分を特定する場合、図１７に示した髪の長さに関する規準を用いて特定する。特定される区分は、「ベリーショート」、「ショート」、「ミディアム」、「セミロング」、及び「ロング」の５区分である。
【０１３７】
「ベリーショート」は、画像データにより表示されたヘアスタイルサンプルの顔の長さと耳下との比（顔の長さ：耳下）が４：０．０以下であり、髪の毛が耳下より上に位置している場合の区分である。
【０１３８】
「ショート」は、顔の長さと顎下との比（顔の長さ：顎下）が４：０．５以下であり、髪の毛が肩のラインより上に位置している場合の区分である。
【０１３９】
「ミディアム」は、顔の長さと顎下との比（顔の長さ：顎下）が４：１．５以下であり、髪の毛が肩のラインより下、かつ胸のラインより上に位置している場合の区分である。
【０１４０】
「セミロング」は、顔の長さと顎下との比（顔の長さ：顎下）が４：２．５以下であり、髪の毛が胸のラインに位置している場合の区分である。
【０１４１】
「ロング」は、顔の長さと顎下との比（顔の長さ：顎下）が４：２．６以上であり、髪の毛が胸のラインより下に位置している場合の区分である。
【０１４２】
前髪の特徴点に関する区分を特定する場合、図１８に示した前髪の特徴点に関する規準を用いて特定する。特定される区分は、「右分け」、「左分け」、「おでこを隠す前髪」、「眉上で水平に一直線の前髪」、及び「おでこ全開の前髪」の５区分である。
【０１４３】
「右分け」の規準は、顔の中心軸（右左の目の中間、または鼻筋）から右の位置に肌の色を検知し、且つ左より右のおでこ（眉または目から上）の肌の色の面積が広いことである。
【０１４４】
「左分け」の規準は、顔の中心軸（右左の目の中間、または鼻筋）から左の位置に肌の色を検知し、且つ右より左のおでこ（眉または目から上）の肌の色の面積が広いことである。
【０１４５】
「おでこを隠す前髪」の規準は、左右の眉毛が検知できないか、又は眉毛を一部検知したがおでこ（眉から上）の肌の色を検知できないことである。
【０１４６】
「眉上でパッツン」は、上述した「眉上で水平に一直線の前髪」のことである。この「眉上でパッツン」の規準は、左右の眉毛を検知し、且つおでこ（眉から上）の肌の色を一部を検知することである。具体的に顔の長さと眉上の肌の長さとの比（顔の長さ：眉上の肌の長さ）が４：０２以上、４：１以下となることである。
【０１４７】
「おでこ全開」は、上述した「おでこ全開の前髪」のことである。この「おでこ全開」の規準は、左右の眉毛を検知し、且つおでこ（眉から上）の肌の色の一部を検知することである。具体的に、顔の長さと眉上の肌の長さの比（顔の長さ：眉上の肌の長さ）が４：１以上となることである。
【０１４８】
［５］表示情報提供部の具体的な処理
表示情報提供部３６７の具体的な処理の内容を図１９及び図２０を参照して説明する。なお、図１９は、ヘアカタログＤＢ３４５に登録しようとする画像を入力するための入力画面であり、図２０は、既登録の画像と登録しようとする画像とを比較しつつヘアスタイル情報の内容を修正して登録するための修正画面である。
【０１４９】
表示情報提供部３６７は、情報入力装置に図１９に示した入力画面に関する情報を提供する。提供される情報は、
（１）登録しようとする画像データを表示するための表示欄に関する情報、
（２）ヘアスタイルの名称を入力するための入力欄に関する情報、
（３）ヘアスタイルについてのコメントを入力するためのコメント入力欄に関する情報、
（４）特性情報のうち長さに関する区分を選択するための選択欄に関する情報、
（５）特性情報のうち、前髪の特徴点に関する区分を選択するための選択欄に関する情報、及び、
（６）ヘアスタイルのヘアジャンルの区分を選択するための選択欄に関する情報、
である。
【０１５０】
図１９に示した入力画面は、表示情報提供部３６７により上記の情報が提供された結果の１つの例を示している。入力画面は、上段、中段及び下段に分かれている。
【０１５１】
入力画面の上段は、登録しようとするヘアスタイルサンプルを表示する表示欄である。図１９に示した入力画面の例では、表示欄は、ヘアスタイルサンプルの正面、側面および背面の画像を表示することができる。ただし、表示欄は、少なくとも、ヘアスタイルサンプルの正面を表示することができればよい。
【０１５２】
入力画面の中段は、ヘアスタイルの名称を文字で入力する入力欄と、当該ヘアスタイルに関するコメントを文字で入力するための入力欄である。
【０１５３】
入力画面の下段は、長さに関する区分を選択するための選択欄、前髪の特徴点に関する区分を選択するための選択欄及びヘアジャンルの区分を選択するための選択欄である。各選択欄には、それぞれの区分が縦に並べて表示されており、各々の区分の前部には、チェックボックスが表示されている。例えば、髪の長さに関する区分の選択欄では、「ベリーショート」、「ショート」、「ミディアム」、「セミロング」、及び「ロング」の５区分が縦に並べて表示されている。
【０１５４】
表示情報提供部３６７は、さらに、図２０に例示した修正画面に関する情報を情報入力装置４０に提供する。提供される情報は、
（１）登録しようとする画像を表示するための表示欄に関する情報、
（２）特性情報に関する区分の修正を入力するための修正入力欄に関する情報、
（３）既登録の画像を特性情報に関する区分毎に表示するための表示欄に関する情報、及び、
（４）各区分の欄に表示する画像の数を設定するための設定手段に関する情報、
である。
【０１５５】
登録しようとする画像を表示するための表示欄には、入力画面における、登録しようとする画像を表示するための表示欄に表示された画像と同一の画像が表示される。
【０１５６】
既登録の画像の表示欄には、既登録の画像が特性情報の区分毎に区分けされて表示される。各区分には、複数の画像がそれぞれ表示される。図２０に示した修正画面の例では、「ベリーショート」の欄には画像Ａ及び画像Ｂが表示され、「ショート」の欄には画像Ｃ及び画像Ｄが表示されている。「ミディアム」の欄には画像Ｆ及び画像Ｇが表示されている。さらに、「ミディアム」の欄には、自動分類された、登録しようとしている画像Ｅが表示されている。「セミロング」の欄には画像Ｈ及び画像Ｉが表示されている。
【０１５７】
画像データ数設定手段は、各欄に表示される画像の数を増やしたり減らしたりする場合に用いられる。図２０に例示された修正画面の画像データ数設定手段は、つまみを「＋」側に移動させることによって各欄に表示される画像の数が増加し、つまみを「−」側に移動させることによって各欄に表示される画像の数が減少する。
【０１５８】
この修正画像では、これから登録しようとしている画像Ｅと既登録の画像Ａ，Ｂ，Ｃ，Ｄ，Ｆ，Ｇ，Ｈ，Ｉとを比較して、画像Ｅの区分をどの区分として特定すればよいかを容易に行うことができるようになっている。
【０１５９】
操作をする者は、画像Ｅと画像Ａ〜画像Ｉとを比較し、自動分類された区分でよいと判断した場合、情報入力装置４０を操作し、画像Ｅを登録する。一方、自動分類された区分よりも他の区分に属すると判断した場合、登録しようとしている画像Ｅが表示されている表示欄の右側に設けられた修正入力欄を利用して区分の修正を行う。修正した後、情報入力装置４０を操作し、画像Ｅを登録する。
【０１６０】
［６］通信システムの動作
次に、図２１〜図２３を参照しつつ本実施形態の通信システム１のヘアカタログＤＢ３４５にヘアスタイルサンプルに関する情報を登録する処理の動作、及び推薦情報提供処理の動作について説明する。なお、図２１は、本実施形態の通信システム１において実行されるヘアスタイルサンプルに関する情報を登録する処理を示すフローチャートであり、図２２は、本実施形態の通信システム１において実行されるユーザの閲覧履歴を登録する処理を示すフローチャートであり、図２３は、本実施形態の通信システム１において実行される推薦情報提供処理を示すフローチャートである。
【０１６１】
本動作においては、当該動作に先立って、記録装置３４０を構成する各ＤＢ３４１〜３４７，３５１〜３５４には、各種の情報が既に登録されているものとする。
【０１６２】
そして、本動作では、通信端末装置１０は、通信端末装置１０が備える表示制御部を制御し、ユーザによる当該通信システム１へのログイン指示を行うための表示を行いつつ、入力が通信端末装置１０の操作部に対してなされるのを待機しているものとする。
【０１６３】
まず、図２１を参照してヘアカタログＤＢ３４５にヘアスタイルサンプルに関する情報を登録する処理について説明する。
【０１６４】
図２１に示すように、まず、通信制御部３２０が、サーバ美容室等のサロンに設けられた情報入力装置４０からのログイン要求を検出したときに（ステップＳ１０１）、ログインを実行してシステムを実行させる。このとき、情報提供サーバ装置３０は、通信システム１にログインするためのログインパスワードなど、各種ログインに必要な情報の入力を受け付ける。
【０１６５】
次いで、情報提供サーバ装置３０は、ログイン要求があった情報入力装置４０に対し、ヘアカタログＤＢ３４５に情報を登録するのに必要なデータを入力させるための表示情報を提供する（ステップＳ１０２）。ログイン要求があった情報入力装置４０の識別は、図９を参照して説明したサロン情報ＤＢ３４７を参照して行う。
【０１６６】
表示情報を情報入力装置４０に対して提供するのは、データ処理部３６０が備える表示情報提供部３６７である。この場合、表示情報提供部３６７は、図１９を参照して説明した、画像データ及び当該画像データに対応付けられたヘアスタイルの情報を入力するための入力画面情報と、図２０を参照して説明した、データを修正するための修正画面情報とを提供する。
【０１６７】
次いで、情報入力装置４０から送信されたヘアスタイルサンプルの画像データを受信し（ステップＳ１０３）、受信した画像データに基づいて、当該ヘアスタイルサンプルの特性情報の区分を特定する（ステップＳ１０４）。
【０１６８】
区分の特定は、データ処理部３６０が備える区分特定部３６６が行う。特性情報は、図５（Ａ）及び図５（Ｂ）を参照して説明した髪の長さに関する情報と前髪の特徴点に関する情報とがあり、各情報についての区分をそれぞれ特定する。
【０１６９】
具体的に、区分特定部３６６は、髪の長さについては、図１７を参照して説明した規準に基づいて、ヘアスタイルサンプルの区分を「ベリーショート」、「ショート」、「ミディアム」、「セミロング」、及び「ロング」のいずれかに特定する。また、区分特定部３６６は、前髪の特徴点については、図１８を参照して説明した規準に基づいて、ヘアスタイルサンプルの区分を「右分け」、「左分け」、「おでこを隠す前髪」、「眉上で水平に一直線の前髪」、「おでこ全開の前髪」のいずれかに特定する。
【０１７０】
特定された髪の長さに関する区分の情報及び前髪特徴点に関する区分の情報は、情報提供サーバ装置３０から情報入力装置４０に送信される（ステップＳ１０５）。
【０１７１】
特定された区分の情報が送信された情報入力装置４０では、図２０を参照して説明した修正画面上に、登録しようとしている画像が、特定された区分の欄に表示される。情報入力装置４０を操作する者は、登録しようとしている画像の区分が、特定された区分で属していると判断した場合、情報入力装置４０を操作して画像データをそのまま登録する。登録しようとしている画像の区分が、特定された区分とは異なる区分に属していると判断した場合、情報入力装置４０を操作して区分を修正して画像データを登録する。
【０１７２】
次いで、情報入力装置４０からの登録要求を情報提供サーバ装置３０が検出すると（ステップＳ１０６）、ＤＢ管理部３６１を構成するヘアカタログＤＢ管理装置は、画像データ及び当該画像データに関連付けられた情報をヘアカタログＤＢ３４５に登録する（ステップＳ１０７）。この際、ヘアカタログＤＢ３４５に登録される情報は、図７を参照して説明したように、例えば、画像データを識別するための画像ＩＤ、画像データ、画像データに対応するジャンルＩＤ、及び画像データに対応する２種類の特性ＩＤである。
【０１７３】
次に、図２２を参照してユーザの閲覧履歴を登録する処理の動作について説明する。
【０１７４】
まず、通信制御部３２０が、ユーザからの閲覧得要求を受信すると（ステップＳ２０１）、閲覧要求された画像データがユーザに提供される（ステップＳ２０２）。
【０１７５】
次いで、ＤＢ管理部３６１を構成している閲覧情報管理部は、閲覧要求をしたユーザに関する情報を閲覧履歴管理ＤＢ３４６に登録する（ステップＳ２０２）。この際、閲覧履歴管理ＤＢ３４６に登録される情報は、ユーザＩＤ、閲覧要求があった画像データに対応付けられたヘアスタイルのヘアジャンルのジャンルＩＤ、画像データに対応付けられた心理ＩＤ、閲覧要求があった画像データが格納されたＵＲＬ、及び閲覧要求があった日時である。
【０１７６】
次に、図２３を参照して推薦情報提供処理の動作について説明する。
【０１７７】
まず、通信制御部３２０が、推薦情報提供の要求を受信する。（ステップＳ３０１）。
【０１７８】
推薦情報提供の要求を受信する場合とは、情報提供タイミング取得部３６４が
（１）ユーザからの推薦情報提供の要求が通信端末装置１０を介して直接送信される要求を取得する場合、
（２）情報入力装置４０からの要求を取得する場合、及び
（３）予め定められた所定の時刻に関する情報を取得する場合、
を例として挙げることができる。
【０１７９】
上記の（２）情報入力装置４０から要求される場合とは、例えば、ユーザがサロンの利用を終了した場合に、当該サロンにおいて、当該ユーザのヘアスタイルに対応する推薦情報を提供するように情報入力装置４０から要求する場合である。また、（３）予め定められた所定の時刻が到来することによって自動的推薦情報を提供する場合とは、例えば、ユーザ／サロン情報ＤＢ３５１を参照し、ユーザがサロンを利用する日時が到来する場合を挙げることができる。
【０１８０】
次いで、データ特定部３６２の第１特定部が、ヘアカタログＤＢ３４５に登録されている情報の中からユーザによって閲覧された画像データを特定する（ステップＳ３０２）。以下では、図１４を参照して説明した第１の方法と図１５を参照して説明した第２の方法とに分けて、ステップ毎に説明する。
【０１８１】
第１の方法を実行する場合、このステップＳ３０２では最も多く閲覧された画像データが特定される。ただし、最も多く閲覧された画像データの閲覧回数が同数である場合、閲覧回数が同数の画像データの中から一番新しく閲覧された画像データが特定される。以下、最も多く閲覧された画像データを代表例として説明する。
【０１８２】
一方、第２の方法を実行する場合、このステップＳ３０２では閲覧された全ての画像データが特定される。
【０１８３】
次いで、特定された画像データに対応付けられたジャンル情報と特性情報とが特定される（ステップＳ３０３）。ジャンル情報と特性情報の特定は、データ特定部３６２を構成している第２特定部がヘアカタログＤＢ３４５を参照して実行する。
【０１８４】
第１の方法を実行する場合、このステップＳ３０３では最も多く閲覧された画像データに対応するジャンル情報と特性情報とが特定される。一方、第２の方法を実行する場合、このステップＳ３０３では閲覧された全ての画像データに対応するジャンル情報と特性情報とが特定される。
【０１８５】
次いで特定された特性情報に対応付けられた心理情報を特定する（ステップＳ３０４）。新情報の特定は、データ特定部３６２を構成している第３特定部が、特性情報／心理情報ＤＢ３４３を参照して実行する。
【０１８６】
第１の方法を実行する場合、このステップＳ３０４では、特定された１つの特性情報に対応する心理情報が特定される。なお、特定された１つの特性情報は、最も多く閲覧された画像データに対応する特性情報である。一方、第２の方法を実行する場合、特定された各特性情報に対応する心理情報が特定される。なお、特定された各特性情報は、閲覧された全ての画像データに対応する特性情報である。
【０１８７】
次いで、特定されたヘアジャンル情報及び特定された心理情報に対応付けられたコンテンツ情報を取得する（ステップＳ３０５）。コンテンツ情報の取得は、コンテンツ情報取得部３６３がジャンル／心理／コンテンツ情報ＤＢ３５４を参照し、ジャンル情報及び心理情報の両方に対応するコンテンツ情報をコンテンツ情報ＤＢ３４４から取得することにより実行される。
【０１８８】
第１の方法を実行する場合、このステップ３０５では、最も多く閲覧された画像データに対応するヘアジャンル情報及び心理情報に基づいてコンテンツ情報が取得される。
【０１８９】
一方、第２の方法を実行する場合、特定されたヘアジャンル情報の中から最も多くカウントされたヘアジャンル情報が選択されるとともに、特定された心理情報の中から最も多くカウントされた心理情報とが特定される。そして、ジャンル／心理／コンテンツ情報ＤＢ３５４を参照し、最も多くカウントされたヘアジャンル情報と最も多くカウントされた心理情報に対応するコンテンツ情報がコンテンツ情報取得部３６３により取得される。なお、最も多くカウントされたヘアジャンル情報と心理情報とが複数ある場合、その中から最も新しく閲覧されたヘアジャンル情報と心理情報とが特定される。
【０１９０】
次いで、推薦情報提供部３６４は、当該ユーザが所持する通信端末装置１０に対し、コンテンツ情報取得部３６３が取得したコンテンツ情報を、通信制御部３２０を介して提供する（ステップＳ３０６）。
【０１９１】
［７］変形例
［７．１］変形例１
上述した実施形態では、情報提供サーバ装置３０内に各ＤＢを設け、これらのＤＢを情報提供サーバ装置３０のみにおいて管理及び制御する構成とした。ただし、各ＤＢの管理、制御主体は、各々、別個なコンピュータシステムを用いるようにしてもよい。
【０１９２】
［７．２］変形例２
上述した実施形態が備えるＤＢの他に、情報提供サーバ装置３０内又は情報提供サーバ装置３０の他に、気象情報を記録した気象情報ＤＢを設け、そのときの気象に適したコンテンツ情報を提供するように構成することもできる。この場合、気象情報ＤＢには、例えば、「晴」、「曇」、「雨」、「雪」等の天気、気温、湿度、時刻等の気象データが、一定の時間毎に自動的に書き換えられるようにして登録される。
【０１９３】
コンテンツ情報取得部３６３は、コンテンツ情報をコンテンツ情報ＤＢ３４４から取得する際に、気象情報ＤＢを参照し、そのときの気象に合致したコンテンツ情報を取得する。たとえは、「雨」という情報を取得した場合、屋内の施設に関するコンテンツ情報のみをコンテンツ情報ＤＢ３４４から取得する。
【０１９４】
［７．３］変形例３
上述した実施形態では、特性情報の区分を特定する処理は情報提供サーバ装置３０によって実行されている。特性情報の区分を特定する処理は、情報入力装置４０で実行するように通信システムを構成することもできる。
【０１９５】
例えば、情報提供サーバ装置３０が情報入力装置４０に対し、特性情報の区分を特定する処理を実行するためのプログラムを予めダウンロードさせておく。この場合、情報入力装置４０において、画像データの取り込み処理、取り込まれた画像データに基づいて、特性情報の区分の特定の処理、特定された区分の修正処理までが実行される。情報提供サーバ装置３０は、情報入力装置４０によって取り込まれた画像データ、画像データに対応付けられたヘアジャンルの区分、及び画像データに対応付けられた特性情報の区分の登録要求を受信したときにヘアカタログＤＢ３４５に必要な情報を登録する。
【０１９６】
［７．４］変形例４
以上に説明した実施形態では、ヘアジャンル情報及び心理情報の両方に対応づけられたコンテンツ情報を取得してユーザに提供する場合について説明した。しかしながら、ヘアジャンル情報のみに対応づけられたコンテンツ情報をユーザに提供する構成、又は心理情報のみに対応づけられたコンテンツ情報をユーザに提供する構成を採用することもできる。
【符号の説明】
【０１９７】
１  …  通信システム
１０  …  通信端末装置
２０  …  ネットワーク
３０  …  サーバ装置
４０  …  情報入力装置
３１０  …  サーバ管理制御部
３２０  …  通信制御部
３３０  …  ＲＯＭ／ＲＡＭ
３４０  …  記録装置
３４１  …  ユーザ管理ＤＢ
３４２  …  ジャンル情報ＤＢ
３４３  …  特性情報／心理情報ＤＢ
３４４  …  コンテンツ情報ＤＢ
３４５  …  ヘアカタログＤＢ
３４６  …  閲覧履歴管理ＤＢ
３４７  …  サロン情報ＤＢ
３５１  …  ユーザ／サロン情報ＤＢ
３５２  …  ジャンル／コンテンツ情報ＤＢ
３５３  …  心理／コンテンツ情報ＤＢ
３５４  …  ジャンル／心理／コンテンツ情報ＤＢ
３６０  …  データ処理部
３６１  …  ＤＢ管理部
３６２  …  データ特定部
３６３  …  コンテンツ情報取得部
３６４  …  情報提供タイミング取得部
３６５  …  推薦情報提供部
３６６  …  区分特定部
３６７  …  表示情報提供部
【図２】
2017062562.tif 000003
【図３】
2017062562.tif 000004
【図４】
2017062562.tif 000005
【図５】
2017062562.tif 000006
【図６】
2017062562.tif 000007
【図７】
2017062562.tif 000008
【図８】
2017062562.tif 000009
【図９】
2017062562.tif 000010
【図１０】
2017062562.tif 000011
【図１１】
2017062562.tif 000012
【図１２】
2017062562.tif 000013
【図１３】
2017062562.tif 000014
【図１６】
2017062562.tif 000015
【図１７】
2017062562.tif 000016
【図１８】
2017062562.tif 000017
【図２１】
2017062562.tif 000018
【図２２】
2017062562.tif 000019
【図２３】
2017062562.tif 000020
【図１】
2017062562.tif 000021
【図１４】
2017062562.tif 000022
【図１５】
2017062562.tif 000023
【図１９】
2017062562.tif 000024
【図２０】
2017062562.tif 000025